(57)【要約】【課題】利便性を向上させることができる携帯可能電子装置、及びＩＣカードを提供することである。【解決手段】実施形態の携帯可能電子装置は、第１価値情報記憶部と、第２価値情報記憶部と、取引処理部と、切替処理部とを持つ。第１価値情報記憶部は、予め入金された金額の残金に対応する第１価値情報を記憶する。第２価値情報記憶部は、信用取引決済で利用可能な第２価値情報を記憶する。取引処理部は、取引の金額に応じて、前記第１価値情報記憶部が記憶する前記第１価値情報を減算して決済を行う先払い決済処理を行う。切替処理部は、前記取引に関する情報に基づく所定の条件を満たす場合に、前記第１価値情報記憶部が記憶する前記第１価値情報を、前記第２価値情報に変換し、当該第２価値情報を前記第２価値情報記憶部に記憶させ、信用取引決済処理の機能を有効にするとともに、前記先払い決済処理の機能を無効にする。【選択図】図３
2020009427.tif 000002
【特許請求の範囲】
【請求項１】
予め入金された金額の残金に対応する第１価値情報を記憶する第１価値情報記憶部と、
信用取引決済で利用可能な第２価値情報を記憶する第２価値情報記憶部と、
取引の金額に応じて、前記第１価値情報記憶部が記憶する前記第１価値情報を減算して決済を行う先払い決済処理を行う取引処理部と、
前記取引に関する情報に基づく所定の条件を満たす場合に、前記第１価値情報記憶部が記憶する前記第１価値情報を、前記第２価値情報に変換し、当該第２価値情報を前記第２価値情報記憶部に記憶させ、信用取引決済処理の機能を有効にするとともに、前記先払い決済処理の機能を無効にする切替処理部と
を備える携帯可能電子装置。
【請求項２】
前記切替処理部は、前記所定の条件を満たす場合として、前記第１価値情報記憶部が記憶する前記第１価値情報が、所定の値以下になった場合に、前記信用取引決済処理の機能を有効にするとともに、前記先払い決済処理の機能を無効にする
請求項１に記載の携帯可能電子装置。
【請求項３】
前記切替処理部は、前記所定の条件を満たす場合として、前記先払い決済処理による取引回数が、所定の回数に達した場合に、前記信用取引決済処理の機能を有効にするとともに、前記先払い決済処理の機能を無効にする
請求項１に記載の携帯可能電子装置。
【請求項４】
前記切替処理部は、前記所定の条件を満たす場合として、基準となる基準時刻から所定の時間以上が経過した場合に、前記信用取引決済処理の機能を有効にするとともに、前記先払い決済処理の機能を無効にする
請求項１に記載の携帯可能電子装置。
【請求項５】
前記切替処理部は、前記第１価値情報を前記第２価値情報に変換する際に、前記第１価値情報が、負の値であった場合に、前記負の値に対応する金額を前記信用取引決済処理により決済処理させる
請求項１から請求項４のいずれか一項に記載の携帯可能電子装置。
【請求項６】
前記切替処理部は、前記第１価値情報を前記第２価値情報に変換する際に、未使用時に設定された前記第１価値情報の初期値に対応する金額を前記信用取引決済処理により決済処理させる
請求項１から請求項５のいずれか一項に記載の携帯可能電子装置。
【請求項７】
前記切替処理部は、所定の条件を満たし、且つ、利用者の与信審査が通過したことを示す情報を取得した場合に、前記信用取引決済処理の機能を有効にするとともに、前記先払い決済処理の機能を無効にする
請求項１から請求項６のいずれか一項に記載の携帯可能電子装置。
【請求項８】
前記第１価値情報記憶部と前記第２価値情報記憶部とが共通の記憶部として構成され、
前記切替処理部は、前記第１価値情報記憶部が記憶する前記第１価値情報を、前記第２価値情報に変換し、当該第２価値情報を前記第２価値情報記憶部としての前記第１価値情報記憶部に記憶させる
請求項１から請求項７のいずれか一項に記載の携帯可能電子装置。
【請求項９】
前記切替処理部は、
前記取引に関する情報に基づく所定の条件である第１の条件を満たし、且つ、前記信用取引決済処理の機能への切り替えを許可する第２の条件を満たす場合に、前記第１価値情報記憶部が記憶する前記第１価値情報を、前記第２価値情報に変換し、当該第２価値情報を前記第２価値情報記憶部に記憶させ、信用取引決済処理の機能を有効にするとともに、前記先払い決済処理の機能を無効にする
請求項１から請求項８のいずれか一項に記載の携帯可能電子装置。
【請求項１０】
前記切替処理部は、
前記信用取引決済処理の機能を有効にした後に、前記信用取引決済処理の機能から前記先払い決済処理の機能に切り替える第１の切替条件を満たす場合に、前記第２価値情報記憶部が記憶する前記第２価値情報を、前記第１価値情報に変換し、当該第１価値情報を前記第１価値情報記憶部に記憶させ、前記先払い決済処理の機能を有効にするとともに、前記信用取引決済処理の機能を無効にする
請求項１から請求項９のいずれか一項に記載の携帯可能電子装置。
【請求項１１】
前記切替処理部は、
前記先払い決済処理の機能を有効にした後に、前記先払い決済処理の機能から前記信用取引決済処理の機能に切り替える第２の切替条件を満たす場合に、前記第１価値情報記憶部が記憶する前記第１価値情報を、前記第２価値情報に変換し、当該第２価値情報を前記第２価値情報記憶部に記憶させ、信用取引決済処理の機能を有効にするとともに、前記先払い決済処理の機能を無効にする
請求項１０に記載の携帯可能電子装置。
【請求項１２】
予め入金された金額の残金に対応する第１価値情報を記憶する第１価値情報記憶部と、
信用取引決済で利用可能な第２価値情報を記憶する第２価値情報記憶部と、
取引の金額に応じて、前記第１価値情報記憶部が記憶する前記第１価値情報を減算して決済を行う先払い決済処理を行う取引処理部と、
前記取引に関する情報に基づく所定の条件を満たす場合に、前記第１価値情報記憶部が記憶する前記第１価値情報を、前記第２価値情報に変換し、当該第２価値情報を前記第２価値情報記憶部に記憶させ、信用取引決済処理の機能を有効にするとともに、前記先払い決済処理の機能を無効にする切替処理部と
を備えるＩＣモジュールと、
前記ＩＣモジュールが埋め込まれたカード本体と
を備えるＩＣカード。
【発明の詳細な説明】
【技術分野】
【０００１】
本発明の実施形態は、携帯可能電子装置、及びＩＣカードに関する。
【背景技術】
【０００２】
近年、ＩＣ（Integrated Circuit）チップを内蔵したＩＣカードなどの携帯可能電子装置が広く使用されている。従来の携帯可能電子装置では、例えば、クレジットカードとしてクレジット決済（信用取引決済）に使用する場合に、利用者にクレジット決済を許可するか否かを審査する与信審査の処理に時間を要する。そのため、従来の携帯可能電子装置では、クレジット決済を直ぐに使用できずに、利便性が低下する場合があった。
【先行技術文献】
【特許文献】
【０００３】
【特許文献１】特開２０１０−２５０４９８号公報
【特許文献２】特開２０１６−７１６５７号公報
【発明の概要】
【発明が解決しようとする課題】
【０００４】
本発明が解決しようとする課題は、利便性を向上させることができる携帯可能電子装置、及びＩＣカードを提供することである。
【課題を解決するための手段】
【０００５】
実施形態の携帯可能電子装置は、第１価値情報記憶部と、第２価値情報記憶部と、取引処理部と、切替処理部とを持つ。第１価値情報記憶部は、予め入金された金額の残金に対応する第１価値情報を記憶する。第２価値情報記憶部は、信用取引決済で利用可能な第２価値情報を記憶する。取引処理部は、取引の金額に応じて、前記第１価値情報記憶部が記憶する前記第１価値情報を減算して決済を行う先払い決済処理を行う。切替処理部は、前記取引に関する情報に基づく所定の条件を満たす場合に、前記第１価値情報記憶部が記憶する前記第１価値情報を、前記第２価値情報に変換し、当該第２価値情報を前記第２価値情報記憶部に記憶させ、信用取引決済処理の機能を有効にするとともに、前記先払い決済処理の機能を無効にする。
【図面の簡単な説明】
【０００６】
【図１】第１の実施形態のＩＣカードの外観、及びＩＣカードシステムの構成例を示す図。
【図２】第１の実施形態のＩＣカードのハードウェア構成例を示す図。
【図３】第１の実施形態のＩＣカードの機能構成例を示すブロック図。
【図４】第１の実施形態の取引履歴記憶部のデータ例を示す図。
【図５】第１の実施形態のＩＣカードの動作の一例を示すフローチャート。
【図６】第１の実施形態のＩＣカードシステムの動作の一例を示す図。
【図７】第２の実施形態のＩＣカードの機能構成例を示すブロック図。
【図８】第２の実施形態のＩＣカードの動作の一例を示す第１のフローチャート。
【図９】第２の実施形態のＩＣカードの動作の一例を示す第２のフローチャート。
【図１０】第２の実施形態のＩＣカードシステムの動作の一例を示す図。
【図１１】第３の実施形態のＩＣカードの機能構成例を示すブロック図。
【図１２】第３の実施形態のＩＣカードの動作の一例を示すフローチャート。
【図１３】第４の実施形態のＩＣカードの機能構成例を示すブロック図。
【図１４】第４の実施形態のＩＣカードの動作の一例を示すフローチャート。
【図１５】第５の実施形態のＩＣカードの機能構成例を示すブロック図。
【図１６】第５の実施形態のＩＣカードの動作の一例を示すフローチャート。
【図１７】第６の実施形態のＩＣカードの機能構成例を示すブロック図。
【図１８】第６の実施形態のＩＣカードの動作の一例を示すフローチャート。
【図１９】第７の実施形態のＩＣカードの機能構成例を示すブロック図。
【図２０】第７の実施形態のＩＣカードの動作の一例を示すフローチャート。
【図２１】第７の実施形態のＩＣカードのカード決済の相互の切り替え動作の一例を示すフローチャート。
【発明を実施するための形態】
【０００７】
以下、実施形態の携帯可能電子装置、及びＩＣカードを、図面を参照して説明する。
【０００８】
（第１の実施形態）
図１は、第１の実施形態のＩＣカード１、及びＩＣカードシステム１５０の構成例を示す図である。
図１に示すように、ＩＣカードシステム１５０は、ＩＣカード１と、外部装置２と、上位サーバ９とを備える。
ＩＣカード１は、ＩＣモジュール１０を備える。ＩＣモジュール１０は、コンタクト部３と、内部にＩＣチップ１００とを備える。
【０００９】
ＩＣカード１は、例えば、プラスチックのカード基材ＰＴ（カード本体の一例）に、ＩＣモジュール１０を実装して形成されている。すなわち、ＩＣカード１は、ＩＣモジュール１０と、ＩＣモジュール１０が埋め込まれたカード基材ＰＴとを備える。また、ＩＣカード１は、コンタクト部３を介して外部装置２と通信可能である。
なお、本実施形態では、携帯可能電子装置の一例として、ＩＣカード１について説明する。
【００１０】
ＩＣカード１は、例えば、外部装置２が送信したコマンド（処理要求）を、コンタクト部３を介して電気的に受信し、受信したコマンドに応じた処理（コマンド処理）を実行する。そして、ＩＣカード１は、コマンド処理の実行結果であるレスポンス（処理応答）を外部装置２にコンタクト部３を介して電気的に送信する。また、ＩＣカード１は、取引の決済に利用され、例えば、プリペイド決済機能と、クレジット決済機能とを備えることが可能である。
【００１１】
ここで、プリペイド決済とは、例えば、ＩＣカード１内に予め入金された金額から減額して決済する先払い決済である。また、クレジット決済（信用取引決済）とは、例えば、ＩＣカード１をクレジットカードとして機能させて、クレジット（信用）による決済する後払い決済である。
【００１２】
外部装置２は、ＩＣカード１と通信する装置であり、例えば、リーダライタ装置、又はリーダライタ装置を含む端末装置などである。また、外部装置２は、ネットワークＮＷ１を介して、上位サーバ９と接続可能である。外部装置２は、例えば、ＩＣカード１によるプリペイド決済、及びクレジット決済に対応可能なＰＯＳ（Point-Of-Sale）端末装置である。
【００１３】
上位サーバ９は、ネットワークＮＷ１を介して、外部装置２と接続可能なサーバ装置である。上位サーバ９は、例えば、ＩＣカード１を管理するＩＣカード管理サーバの一例である。上位サーバ９は、ＩＣカード１を管理するとともに、例えば、ＩＣカード１をクレジットカードとして使用する際に必要な利用者の与信結果を、外部装置２に送信する。
【００１４】
ＩＣモジュール１０は、コンタクト部３と、ＩＣチップ１００とを備え、例えば、テープ上にＩＣモジュール１０が複数配置されたＣＯＴ（Chip On Tape）などの形態で取引されるモジュールである。なお、テープから個片抜きして切り離した単体のＩＣモジュール１０をＣＯＴという場合がある。
【００１５】
コンタクト部３は、ＩＣカード１が動作するために必要な各種信号の端子を有している。ここで、各種信号の端子は、電源電圧、クロック信号、リセット信号などを外部装置２から供給を受ける端子、及び、外部装置２と通信するためのシリアルデ―タ入出力端子（ＳＩＯ端子）を含む。
ＩＣチップ１００は、例えば、１チップのマイクロプロセッサなどのＬＳＩ（Large Scale Integration）である。
【００１６】
次に、図２を参照して、本実施形態のＩＣカード１のハードウェア構成について説明する。
図２は、本実施形態のＩＣカード１のハードウェア構成例を示す図である。
図２に示すように、ＩＣカード１は、コンタクト部３と、ＩＣチップ１００とを備えたＩＣモジュール１０を備えている。そして、ＩＣチップ１００は、ＵＡＲＴ（Universal Asynchronous Receiver Transmitter）４と、ＣＰＵ５と、ＲＯＭ（Read Only Memory）６と、ＲＡＭ（Random Access Memory）７と、ＥＥＰＲＯＭ（Electrically Erasable Programmable ROM）８とを備えている。また、各構成は、内部バスＢＳ１を介して接続されている。
【００１７】
ＵＡＲＴ４は、上述したＳＩＯ端子を介して、外部装置２とシリアルデータ通信を行う。ＵＡＲＴ４は、ＳＩＯ端子を介して受信したシリアルデータ信号をパラレル変換したデータ（例えば、１バイトのデータ）を内部バスＢＳ１に出力する。また、ＵＡＲＴ４は、内部バスＢＳ１を介して取得したデータをシリアル変換して、ＳＩＯ端子を介して外部装置２に出力する。ＵＡＲＴ４は、例えば、ＳＩＯ端子を介してコマンドを外部装置２から受信する。また、ＵＡＲＴ４は、ＳＩＯ端子を介してレスポンスを外部装置２に送信する。
【００１８】
ＣＰＵ５は、ＲＯＭ６又はＥＥＰＲＯＭ８に記憶されているプログラムを実行して、ＩＣカード１の各種処理を行う。ＣＰＵ５は、例えば、コンタクト部３を介して、ＵＡＲＴ４が受信したコマンドに応じたコマンド処理を実行する。
【００１９】
ＲＯＭ６は、例えば、マスクＲＯＭなどの不揮発性メモリであり、ＩＣカード１の各種処理を実行するためのプログラム、及びコマンドテーブルなどのデータを記憶する。
ＲＡＭ７は、例えば、ＳＲＡＭ（Static RAM）などの揮発性メモリであり、ＩＣカード１の各種処理を行う際に利用されるデータを一時記憶する。
【００２０】
ＥＥＰＲＯＭ８は、例えば、電気的に書き換え可能な不揮発性メモリである。ＥＥＰＲＯＭ８は、ＩＣカード１が利用する各種データを記憶する。ＥＥＰＲＯＭ８は、例えば、ＩＣカード１を利用した各種サービス（アプリケーション）に使用される情報を記憶する。
【００２１】
次に、図３を参照して、本実施形態によるＩＣカード１の機能構成例について説明する。
図３は、本実施形態のＩＣカード１の機能構成例を示すブロック図である。
図３に示すように、ＩＣカード１は、通信部４０と、制御部５０と、管理情報記憶部８１と、取引履歴記憶部８２と、プリペイド記憶部８３と、与信情報記憶部８４と、クレジットポイント記憶部８５とを備える。
ここで、図３に示されるＩＣカード１の各部は、図２に示されるＩＣカード１のハードウェアを用いて実現される。
【００２２】
通信部４０は、例えば、ＵＡＲＴ４と、ＣＰＵ５と、ＲＯＭ６に記憶されているプログラムとにより実現され、コンタクト部３を介して、例えば、外部装置２との間でコマンド及びレスポンスの送受信を行う。すなわち、通信部４０は、所定の処理を要求するコマンド（処理要求）を外部装置２から受信するとともに、コマンドに対するレスポンス（処理応答）を外部装置２に送信する。
【００２３】
管理情報記憶部８１は、例えば、ＥＥＰＲＯＭ８により構成された記憶部であり、データを記憶する各種ファイルを管理する管理情報（例えば、ディレクトリ情報）を記憶する。管理情報記憶部８１は、例えば、プリペイド決済及びクレジット決済に関するデータファイルを有効又は無効にする設定を行うことで、プリペイド決済及びクレジット決済の機能を有効又は無効にすることが可能である。
【００２４】
取引履歴記憶部８２は、例えば、ＥＥＰＲＯＭ８により構成された記憶部であり、プリペイド決済及びクレジット決済などの取引の履歴情報を記憶する。ここで、図４を参照して、取引履歴記憶部８２のデータ例について説明する。
【００２５】
図４は、本実施形態の取引履歴記憶部８２のデータ例を示す図である。
図４に示すように、取引履歴記憶部８２は、「取引日付」と、「取引時刻」と、「店舗名」と、「取引金額」と、「取引種別」とを対応付けて記憶する。ここで、「取引日付」及び「取引時刻」は、取引を行った日付及び時刻を示し、「店舗名」は、取引を行った店舗名を示している。また、「取引金額」は、取引の金額を示し、「取引種別」は、例えば、“プリペイド”、“クレジット”、“チャージ（入金）”などの取引決済の種類を示している。
【００２６】
図４に示す例では、「取引日付」が“２０１８／０４／２０”の「取引時刻」が“１０：００：００”において、「店舗名」の“○○店”で「取引金額」“１０００円”の取引が行われ、“プリペイド”によって決済処理されたことを示している。
このように、取引履歴記憶部８２は、取引の日付及び時刻、取引金額などの取引情報を記憶する。
【００２７】
図３の説明に戻り、プリペイド記憶部８３（第１価値情報記憶部の一例）は、例えば、ＥＥＰＲＯＭ８により構成された記憶部であり、予め入金された金額の残金に対応するプリペイド残額（第１価値情報）を記憶する。なお、プリペイド記憶部８３は、プリペイド残額の代わりに、残金に対応するポイントを示し情報を記憶してもよい。
【００２８】
与信情報記憶部８４は、例えば、ＥＥＰＲＯＭ８により構成された記憶部である。与信情報記憶部８４は、例えば、クレジット決済のサービスを受けるための利用者の与信情報であり、契約時に申請書に記入する利用者の個人情報などを記憶する。与信情報は、利用者の信用を審査するための情報であり、例えば、利用者の氏名、住所、生年月日、年齢、性別、職業、年収、勤務先情報、連作先（電話番号）などの個人情報である。本実施形態では、与信情報記憶部８４には、ＩＣカード１を発行した際に、予め与信情報が記憶されているものとする。
【００２９】
クレジットポイント記憶部８５（第２価値情報記憶部の一例）は、例えば、ＥＥＰＲＯＭ８により構成された記憶部であり、クレジット決済で利用可能なクレジットポイント（第２価値情報）を記憶する。
なお、本実施形態では、発行当初にプリペイド決済機能が有効であり、クレジット決済機能が無効の状態であるため、管理情報記憶部８１の設定情報により、与信情報記憶部８４及びクレジットポイント記憶部８５は、無効化されているものとする。ここでの無効化されているとは、ＥＥＰＲＯＭ８内に記憶領域は確保されているものの、ＩＣカード１の外部から利用不能に設定されている状態とする。
【００３０】
制御部５０は、例えば、ＣＰＵ５と、ＲＡＭ７と、ＲＯＭ６又はＥＥＰＲＯＭ８とにより実現され、ＩＣカード１を統括的に制御する。制御部５０は、コマンド処理部５１と、プリペイド決済処理部５２と、クレジット決済処理部５３と、切替処理部５４とを備える。
【００３１】
コマンド処理部５１は、外部装置２からＩＣカード１に送信されたコマンド（処理要求）に応じて、各種コマンドの処理（コマンド処理）を実行する。コマンド処理部５１は、例えば、通信部４０を介して外部装置２から受信したコマンドに応じて、コマンド処理を実行する。また、コマンド処理部５１は、コマンド処理の結果であるレスポンスを、通信部４０を介して外部装置２に送信する。
【００３２】
プリペイド決済処理部５２（取引処理部の一例）は、プリペイド決済の処理を実行する。プリペイド決済処理部５２は、例えば、コマンド処理部５１が、プリペイド決済に関するコマンドを受信した場合に、プリペイド決済に関連するコマンドに応じた処理を実行し、処理結果をコマンド処理部５１に出力する。プリペイド決済処理部５２は、例えば、取引の金額に応じて、プリペイド記憶部８３が記憶するプリペイド残額を減算して決済を行う。
【００３３】
クレジット決済処理部５３（取引処理部の一例）は、クレジット決済の処理を実行する。クレジット決済処理部５３は、例えば、コマンド処理部５１が、クレジット決済に関するコマンドを受信した場合に、クレジット決済に関連するコマンドに応じた処理を実行し、処理結果をコマンド処理部５１に出力する。なお、ＩＣカード１の発行当初は、利用者の与信審査が完了していないために、上述した管理情報記憶部８１の設定により、クレジット決済処理部５３の機能（クレジット決済の機能）が無効化されているものとする。
【００３４】
切替処理部５４は、取引に関する情報に基づく所定の条件を満たす場合に、プリペイド記憶部８３が記憶するプリペイド残額を、クレジットポイントに変換し、当該クレジットポイントをクレジットポイント記憶部８５に記憶させる。また、切替処理部５４は、クレジット決済処理の機能を有効にするとともに、プリペイド決済処理の機能を無効にする。
【００３５】
具体的に、切替処理部５４は、所定の条件を満たし、且つ、利用者の与信審査が通過したことを示す情報を取得した場合に、クレジット決済処理の機能を有効にするとともに、プリペイド決済処理の機能を無効にする。なお、切替処理部５４は、例えば、所定の条件を満たす場合として、プリペイド記憶部８３が記憶するプリペイド残額が、所定の値以下になった場合に、クレジット決済処理の機能を有効にするとともに、プリペイド決済処理の機能を無効にする。また、切替処理部５４は、上述した管理情報記憶部８１の設定情報を変更することで、クレジット決済処理の機能を有効にするとともに、プリペイド決済処理の機能を無効にする。
【００３６】
例えば、プリペイド記憶部８３が記憶するプリペイド残額の初期値が、“３０００（円）”であり、所定の値を“１０００”とする。この場合、切替処理部５４は、プリペイド決済処理の取引によって、“２０００”以上使用された場合に、クレジット決済処理の機能を有効にするとともに、プリペイド決済処理の機能を無効にする。ここでの所定の値は、例えば、利用者の与信審査に要する期間よりも長い期間を確保するために必要と想定（予想）される、プリペイド決済処理の取引の金額値に基づいて設定される。
【００３７】
次に、図面を参照して本実施形態によるＩＣカード１及びＩＣカードシステム１５０の動作について説明する。
図５は、本実施形態のＩＣカード１の動作の一例を示すフローチャートである。この図において、ＩＣカード１のプリペイド決済機能からクレジット決済機能への切り替え処理について説明する。ＩＣカード１は、例えば、利用者が商品を購入するなどの取引が発生した場合に、外部装置２から送信されるコマンド処理により、プリペイド決済の処理が実行される。
【００３８】
図５に示すように、ＩＣカード１は、まず、例えば、プリペイド決済によりプリペイド残額を更新する（ステップＳ１０１）。ＩＣカード１のプリペイド決済処理部５２は、プリペイド記憶部８３が記憶するプリペイド残額を読み出し、当該プリペイド残額から取引金額を減算した値を新しいプリペイド残額として、再びプリペイド記憶部８３に記憶させる。
【００３９】
次に、ＩＣカード１は、プリペイド決済の取引履歴を記憶する（ステップＳ１０２）。プリペイド決済処理部５２は、図４に示すように、プリペイド決済した取引の取引履歴情報を取引履歴記憶部８２に記憶させる。
【００４０】
次に、ＩＣカード１の切替処理部５４は、プリペイド残額が所定の値以下であるか否かを判定する（ステップＳ１０３）。切替処理部５４は、プリペイド記憶部８３が記憶するプリペイド残額を読み出し、例えば、プリペイド残額が“１０００”以下であるか否かを判定する。切替処理部５４は、プリペイド残額が所定の値（“１０００”）以下である場合（ステップＳ１０３：ＹＥＳ）に、処理をステップＳ１０４に進める。また、切替処理部５４は、プリペイド残額が所定の値（“１０００”）より大きい場合（ステップＳ１０３：ＮＯ）に、切替処理を終了する。
【００４１】
ステップＳ１０４において、切替処理部５４は、与信審査結果がＯＫであるか否かを判定する。切替処理部５４は、例えば、コマンド処理部５１に与信審査結果要求を含むレスポンスを外部装置２に送信させて、外部装置２から与信審査結果を取得させる。切替処理部５４は、コマンド処理部５１を介して取得した与信審査結果がＯＫであるか否かを判定する。切替処理部５４は、与信審査結果がＯＫである（利用者の与信審査が通過したことを示す情報を取得した）場合（ステップＳ１０４：ＹＥＳ）に、処理をステップＳ１０５に進める。切替処理部５４は、与信審査結果がＮＧである（利用者の与信審査が通過していないことを示す情報を取得した）場合（ステップＳ１０４：ＮＯ）に、切替処理を終了する。
【００４２】
ステップＳ１０５において、切替処理部５４は、プリペイド残額をクレジットポイントに変換する。切替処理部５４は、プリペイド記憶部８３が記憶するプリペイド残額を読み出し、当該プリペイド残額をクレジットポイントに変換する。なお、切替処理部５４は、プリペイド残額とクレジットポイントとを１：１（一対一）の変換比率で変換してもよいし、所定の変換比率によって、プリペイド残額をクレジットポイントに変換してもよい。
【００４３】
次に、切替処理部５４は、変換したクレジットポイントをクレジットポイント記憶部８５に記憶させる（ステップＳ１０６）。
次に、切替処理部５４は、プリペイド決済からクレジット決済に切り替える（ステップＳ１０７）。切替処理部５４は、管理情報記憶部８１が記憶する設定情報を変更することで、クレジット決済処理の機能を有効にするとともに、プリペイド決済処理の機能を無効にする。すなわち、切替処理部５４は、管理情報記憶部８１が記憶するクレジット決済に関連するファイルの設定情報を有効にするとともに、プリペイド決済に関連するファイルの設定情報を無効にする。切替処理部５４は、ステップＳ１０７の処理後に、切替処理を終了する。
【００４４】
次に、図６を参照して、本実施形態のＩＣカードシステム１５０の全体の動作について説明する。
図６は、本実施形態のＩＣカードシステム１５０の動作の一例を示す図である。この図において、ＩＣカードシステム１５０が、ＩＣカード１のプリペイド決済機能からクレジット決済機能への切り替え処理について説明する。
【００４５】
図６に示すように、まず、ＩＣカード１の発行時に、上位サーバ９が、与信審査を開始する（ステップＳ２０１）。
次に、利用者が商品を購入するなどの取引が発生した場合に、外部装置２は、プリペイド決済依頼をＩＣカード１に送信する（ステップＳ２０２）。外部装置２は、プリペイド決済依頼をコマンドによりＩＣカード１に送信する。
【００４６】
次に、ＩＣカード１は、プリペイド決済処理を実行する（ステップＳ２０３）。ここでは、ＩＣカード１の切替処理部５４によって、所定の条件を満たす場合として、プリペイド記憶部８３が記憶するプリペイド残額が、所定の値以下になった場合の例を説明する。
次に、ＩＣカード１は、与信審査結果要求を含むレスポンスを外部装置２に送信する（ステップＳ２０４）。
【００４７】
次に、外部装置２は、与信審査結果要求を上位サーバ９に送信する（ステップＳ２０５）。すなわち、外部装置２は、ネットワークＮＷ１を介して、上位サーバ９に与信審査結果要求を送信する。
【００４８】
次に、上位サーバ９は、与信審査結果要求に応じて、与信審査結果を外部装置２に送信する（ステップＳ２０６）。なお、ここでは、与信審査結果は、ＯＫである（利用者の与信審査が通過している）ものとして説明する。
【００４９】
次に、外部装置２は、与信審査結果をコマンドによりＩＣカード１に送信する（ステップＳ２０７）。
次に、ＩＣカード１は、クレジットへの切替処理を実行する（ステップＳ２０８）。すなわち、ＩＣカード１の切替処理部５４は、上述した図５に示すステップＳ１０５からステップＳ１０７の処理を実行して、クレジット決済処理の機能を有効にするとともに、プリペイド決済処理の機能を無効にする。
【００５０】
次に、ＩＣカード１は、切替完了を示すレスポンスを外部装置２に送信する（ステップＳ２０９）。
これにより、ＩＣカード１は、クレジット決済処理の機能が有効になり、次回の取引からクレジット決済の利用が可能になる。
【００５１】
以上説明したように、本実施形態によるＩＣカード１（携帯可能電子装置）は、プリペイド記憶部８３（第１価値情報記憶部）と、クレジットポイント記憶部８５（第２価値情報記憶部）と、プリペイド決済処理部５２（取引処理部）と、切替処理部５４とを備える。プリペイド記憶部８３は、予め入金された金額の残金に対応するプリペイド残額（第１価値情報）を記憶する。クレジットポイント記憶部８５は、クレジット決済で利用可能なクレジットポイント（第２価値情報）を記憶する。プリペイド決済処理部５２は、取引の金額に応じて、プリペイド記憶部８３が記憶するプリペイド残額を減算して決済を行うプリペイド決済処理（先払い決済処理）を行う。切替処理部５４は、取引に関する情報に基づく所定の条件を満たす場合に、プリペイド記憶部８３が記憶するプリペイド残額を、クレジットポイントに変換し、当該クレジットポイントをクレジットポイント記憶部８５に記憶させる。そして、切替処理部５４は、クレジット決済処理の機能を有効にするとともに、プリペイド決済処理の機能を無効にする。
【００５２】
これにより、本実施形態によるＩＣカード１は、例えば、利用者の与信審査が完了する前に、プリペイドカードとして利用可能である。また、本実施形態によるＩＣカード１は、例えば、与信審査が完了したことが想定される所定の条件を満たす場合に、プリペイドカードからクレジットカードに切り替えられ、クレジット決済が可能になる。そのため、本実施形態によるＩＣカード１は、与信審査の処理の期間を有効に利用することが可能になり、利便性を向上させることができる。
【００５３】
また、一般に、クレジットカードは、プリペイドカードよりも広い範囲で使用可能である。本実施形態によるＩＣカード１は、プリペイドカードとして使用している間に、自動的に、クレジットカードに切り替わるため、決済処理に使用できる範囲が広がり、さらに利便性を向上させることができる。
【００５４】
また、本実施形態では、切替処理部５４は、所定の条件を満たす場合として、プリペイド記憶部８３が記憶するプリペイド残額が、所定の値以下になった場合に、クレジット決済処理の機能を有効にするとともに、プリペイド決済処理の機能を無効にする。
これにより、本実施形態によるＩＣカード１は、プリペイド決済処理の機能を使用している間に、クレジットカードに切り替えることができる。
【００５５】
また、本実施形態では、切替処理部５４は、所定の条件を満たし、且つ、利用者の与信審査が通過したことを示す情報を取得した場合に、クレジット決済処理の機能を有効にするとともに、プリペイド決済処理の機能を無効にする。
これにより、本実施形態によるＩＣカード１は、プリペイド決済処理の機能を使用している間に、利用者の与信審査が通過したことを確認した上で、プリペイドカードからクレジットカードに適切に切り替えることができる。
【００５６】
また、本実施形態によるＩＣカード１は、ＩＣモジュール１０と、ＩＣモジュール１０が埋め込まれたカード基材（ＰＴカード本体）とを備える。そして、本実施形態によるＩＣモジュール１０は、上述したプリペイド記憶部８３と、クレジットポイント記憶部８５と、プリペイド決済処理部５２と、切替処理部５４とを備える。
これにより、本実施形態によるＩＣモジュール１０は、上述したＩＣカード１と同様の効果を奏し、与信審査の処理の期間を有効に利用することができるため、利便性を向上させることができる。
【００５７】
また、本実施形態によるＩＣカードシステム１５０は、上述したＩＣカード１と、外部装置２と、上位サーバ９とを備える。外部装置２は、上位サーバ９から取得した与信審査結果をＩＣカード１に送信する。ＩＣカード１は、所定の条件を満たし、且つ、利用者の与信審査が通過したことを示す情報を取得した場合に、クレジット決済処理の機能を有効にするとともに、プリペイド決済処理の機能を無効にする。
これにより、本実施形態によるＩＣカードシステム１５０は、上述したＩＣカード１と同様の効果を奏し、与信審査の処理の期間を有効に利用することができるため、利便性を向上させることができる。
【００５８】
（第２の実施形態）
次に、図面を参照して、第２の実施形態によるＩＣカード１ａについて説明する。
上述した第１の実施形態では、発行時に与信審査が開始され、予め与信情報がＩＣカード１に記憶されている例を説明したが、本実施形態では、ＩＣカード１ａに後から与信情報を記憶させるとともに、与信審査が開始される場合の一例について説明する。
【００５９】
図７は、本実施形態のＩＣカード１ａの機能構成例を示すブロック図である。なお、本実施形態のＩＣカード１ａの外観、及びＩＣカードシステム１５０の構成例と、本実施形態のＩＣカード１ａのハードウェア構成例とは、図１及び図２に示す第１の実施形態と同様であるためここではその説明を省略する。
【００６０】
図７に示すように、ＩＣカード１ａは、通信部４０と、制御部５０ａと、管理情報記憶部８１と、取引履歴記憶部８２と、プリペイド記憶部８３と、与信情報記憶部８４と、クレジットポイント記憶部８５とを備える。
ここで、図７に示されるＩＣカード１ａの各部は、図２に示されるハードウェアを用いて実現される。また、この図において、図３に示す構成と同一に構成については、同一の符号を付与してその説明を省略する。
【００６１】
制御部５０ａは、例えば、ＣＰＵ５と、ＲＡＭ７と、ＲＯＭ６又はＥＥＰＲＯＭ８とにより実現され、ＩＣカード１ａを統括的に制御する。制御部５０ａは、コマンド処理部５１と、プリペイド決済処理部５２と、クレジット決済処理部５３と、切替処理部５４ａとを備える。
【００６２】
切替処理部５４ａは、取引に関する情報に基づく所定の条件を満たす場合に、コマンド処理部５１に、外部装置２から与信情報を取得させ、取得した与信情報を与信情報記憶部８４に記憶させる。そして、切替処理部５４ａは、プリペイド記憶部８３が記憶するプリペイド残額を、クレジットポイントに変換し、当該クレジットポイントをクレジットポイント記憶部８５に記憶させる。また、切替処理部５４ａは、クレジット決済処理の機能を有効にするとともに、プリペイド決済処理の機能を無効にする。
【００６３】
また、切替処理部５４ａは、次回の取引の決済処理の際に、利用者の与信審査が通過したことを示す情報を取得したか否かを判定する。切替処理部５４ａは、利用者の与信審査が通過したことを示す情報を取得した場合に、例えば、管理情報記憶部８１に、利用者の与信審査が通過したことを示す設定情報を記憶させる。
【００６４】
なお、本実施形態によるコマンド処理部５１は、クレジット決済に関するコマンドを受信した場合に、管理情報記憶部８１の設定情報を確認し、利用者の与信審査が通過している場合に、クレジット決済処理部５３に、クレジット決済処理を実行させる。
【００６５】
次に、図面を参照して本実施形態によるＩＣカード１ａ及びＩＣカードシステム１５０の動作について説明する。
図８は、本実施形態のＩＣカード１ａの動作の一例を示す第１のフローチャートである。この図において、ＩＣカード１ａのプリペイド決済機能からクレジット決済機能への切り替え処理について説明する。ＩＣカード１ａは、例えば、利用者が商品を購入するなどの取引が発生した場合に、外部装置２から送信されるコマンド処理により、プリペイド決済の処理が実行される。
【００６６】
図８において、ステップＳ３０１からステップＳ３０３までの処理は、上述した図５に示すステップＳ１０１からステップＳ１０３までの処理と同様であるため、ここではその説明を省略する。
ステップＳ３０４において、ＩＣカード１ａは、与信情報を取得して記憶する。ＩＣカード１ａの切替処理部５４ａは、コマンド処理部５１に、外部装置２から与信情報を取得させ、取得した与信情報を与信情報記憶部８４に記憶させる。
【００６７】
続く、ステップＳ３０５からステップＳ３０７までの処理は、上述した図５に示すステップＳ１０５からステップＳ１０７までの処理と同様であるため、ここではその説明を省略する。
【００６８】
また、図９は、本実施形態のＩＣカード１ａの動作の一例を示す第２のフローチャートである。この図において、上述した図８に示す切替処理を実行した後に、取引処理を実行する場合（次回の取引による決済処理を行う場合）について説明する。
【００６９】
図９に示すように、ＩＣカード１ａは、まず、与信審査結果がＯＫであるか否かを判定する（ステップＳ３１０）。ＩＣカード１ａの切替処理部５４ａは、例えば、コマンド処理部５１に与信審査結果要求を含むレスポンスを外部装置２に送信させて、外部装置２から与信審査結果を取得させる。切替処理部５４ａは、コマンド処理部５１を介して取得した与信審査結果がＯＫであるか否かを判定する。切替処理部５４ａは、与信審査結果がＯＫである（利用者の与信審査が通過したことを示す情報を取得した）場合（ステップＳ３１０：ＹＥＳ）に、処理をステップＳ３１１に進める。切替処理部５４ａは、与信審査結果がＮＧである（利用者の与信審査が通過していないことを示す情報を取得した）場合（ステップＳ３１０：ＮＯ）に、切替処理を終了する。
【００７０】
ステップＳ３１１において、ＩＣカード１ａは、クレジット決済処理を実行する。ＩＣカード１ａのクレジット決済処理部５３は、取引に対応したクレジット決済処理を実行する。また、切替処理部５４ａは、管理情報記憶部８１に、利用者の与信審査が通過したことを示す設定情報を記憶させる。
【００７１】
次に、クレジット決済処理部５３は、クレジット決済の取引履歴を取引履歴記憶部８２に記憶させる（ステップＳ３１２）。ステップＳ３１２の処理後に、クレジット決済処理部５３は、処理を終了する。
【００７２】
なお、利用者の与信審査が通過していないことを示す情報を取得した２回目以降の処理において、コマンド処理部５１は、クレジット決済に関するコマンドに応じて、管理情報記憶部８１の設定情報を確認し、利用者の与信審査が通過している場合に、クレジット決済処理部５３に、クレジット決済処理を実行させる。
【００７３】
次に、図１０を参照して、本実施形態のＩＣカードシステム１５０の全体の動作について説明する。
図１０は、本実施形態のＩＣカードシステム１５０の動作の一例を示す図である。この図において、ＩＣカードシステム１５０が、ＩＣカード１ａのプリペイド決済機能からクレジット決済機能への切り替え処理について説明する。
【００７４】
図１０に示すように、まず、利用者が商品を購入するなどの取引が発生した場合に、外部装置２は、プリペイド決済依頼をＩＣカード１ａに送信する（ステップＳ４０１）。外部装置２は、プリペイド決済依頼をコマンドによりＩＣカード１ａに送信する。
【００７５】
次に、ＩＣカード１ａは、プリペイド決済処理を実行する（ステップＳ４０２）。ここでは、ＩＣカード１ａの切替処理部５４ａによって、所定の条件を満たす場合として、プリペイド記憶部８３が記憶するプリペイド残額が、所定の値以下になった場合の例を説明する。
次に、ＩＣカード１ａは、与信情報要求を含むレスポンスを外部装置２に送信する（ステップＳ４０３）。
【００７６】
次に、外部装置２は、与信情報を取得する（ステップＳ４０４）。外部装置２は、例えば、利用者に与信情報を入力させて、与信情報を取得する。
次に、外部装置２は、与信情報を上位サーバ９に送信する（ステップＳ４０５）。すなわち、外部装置２は、ネットワークＮＷ１を介して、上位サーバ９に与信情報を送信する。
次に、上位サーバ９は、与信情報に応じて、与信審査を開始する（ステップＳ４０６）。
【００７７】
次に、外部装置２は、与信情報をコマンドによりＩＣカード１ａに送信する(ステップＳ４０７)。
次に、ＩＣカード１ａは、与信情報を記憶する（ステップＳ４０８）。ＩＣカード１ａの切替処理部５４ａは、取得した与信情報を与信情報記憶部８４に記憶させる。
【００７８】
次に、ＩＣカード１ａは、クレジットへの切替処理を実行する（ステップＳ４０９）。すなわち、切替処理部５４ａは、上述した図８に示すステップＳ３０５からステップＳ３０７の処理を実行して、クレジット決済処理の機能を有効にするとともに、プリペイド決済処理の機能を無効にする。
次に、ＩＣカード１ａは、切替完了を示すレスポンスを外部装置２に送信する（ステップＳ４１０）。
【００７９】
次回の取引において、外部装置２は、クレジット決済依頼をＩＣカード１ａに送信する（ステップＳ４１１）。外部装置２は、クレジット決済依頼をコマンドによりＩＣカード１ａに送信する。
次に、ＩＣカード１ａは、与信審査結果要求を含むレスポンスを外部装置２に送信する（ステップＳ４１２）。
【００８０】
次に、外部装置２は、与信審査結果要求を上位サーバ９に送信する（ステップＳ４１３）。すなわち、外部装置２は、ネットワークＮＷ１を介して、上位サーバ９に与信審査結果要求を送信する。
【００８１】
次に、上位サーバ９は、与信審査結果要求に応じて、与信審査結果を外部装置２に送信する（ステップＳ４１４）。なお、ここでは、与信審査結果は、ＯＫである（利用者の与信審査が通過している）ものとして説明する。
【００８２】
次に、外部装置２は、与信審査結果をコマンドによりＩＣカード１ａに送信する（ステップＳ４１５）。
次に、ＩＣカード１ａは、クレジット決済処理を実行する（ステップＳ４１６）。
次に、ＩＣカード１ａは、クレジット決済処理が実行結果を含むレスポンスを外部装置２の送信する（ステップＳ４１７）。
【００８３】
なお、既に利用者の与信審査が通過している３回目以降の取引において、ＩＣカード１ａは、上述したステップＳ４１２の与信審査結果要求を含むレスポンスの送信を実行せずに、上述したステップＳ４１６のクレジット決済処理を実行する。すなわち、既に利用者の与信審査が通過している３回目以降の取引において、上述したステップＳ４１２からステップＳ４１５までの処理が実行されない。
【００８４】
以上説明したように、本実施形態によるＩＣカード１ａは、プリペイド記憶部８３（第１価値情報記憶部）と、クレジットポイント記憶部８５（第２価値情報記憶部）と、プリペイド決済処理部５２（取引処理部）と、切替処理部５４ａとを備える。切替処理部５４ａは、取引に関する情報に基づく所定の条件を満たす場合に、プリペイド記憶部８３が記憶するプリペイド残額を、クレジットポイントに変換し、当該クレジットポイントをクレジットポイント記憶部８５に記憶させる。そして、切替処理部５４ａは、クレジット決済処理の機能を有効にするとともに、プリペイド決済処理の機能を無効にする。
これにより、本実施形態によるＩＣカード１ａは、与信審査の処理の期間を有効に利用することが可能であるため、上述した第１の実施形態と同様の効果を奏し、利便性を向上させることができる。
【００８５】
また、本実施形態では、切替処理部５４ａは、取引に関する情報に基づく所定の条件を満たす場合に、コマンド処理部５１に、外部装置２から与信情報を取得させ、取得した与信情報を与信情報記憶部８４に記憶させる。
これにより、本実施形態によるＩＣカード１ａは、与信情報を保持していないプリペイドカードを、クレジットカードに適切に切り替えることができるため、利便性を向上させることができる。
【００８６】
（第３の実施形態）
次に、図面を参照して、第３の実施形態によるＩＣカード１ｂについて説明する。
本実施形態では、所定の条件として、プリペイド記憶部８３が記憶するプリペイド残額の代わりに、取引回数を用いる変形例について説明する。
【００８７】
図１１は、本実施形態のＩＣカード１ｂの機能構成例を示すブロック図である。なお、本実施形態のＩＣカード１ｂの外観、及びＩＣカードシステム１５０の構成例と、本実施形態のＩＣカード１ｂのハードウェア構成例とは、図１及び図２に示す第１の実施形態と同様であるためここではその説明を省略する。
【００８８】
図１１に示すように、ＩＣカード１ｂは、通信部４０と、制御部５０ｂと、管理情報記憶部８１と、取引履歴記憶部８２と、プリペイド記憶部８３と、与信情報記憶部８４と、クレジットポイント記憶部８５と、取引回数記憶部８６とを備える。
ここで、図１１に示されるＩＣカード１ｂの各部は、図２に示されるハードウェアを用いて実現される。また、この図において、図３に示す構成と同一に構成については、同一の符号を付与してその説明を省略する。
【００８９】
取引回数記憶部８６は、例えば、ＥＥＰＲＯＭ８により構成された記憶部であり、プリペイド決済による取引回数を記憶する。取引回数記憶部８６は、例えば、プリペイド決済処理部５２によって、プリペイド決済処理が実行されるごとに、“１”が加算されて更新される。
【００９０】
制御部５０ｂは、例えば、ＣＰＵ５と、ＲＡＭ７と、ＲＯＭ６又はＥＥＰＲＯＭ８とにより実現され、ＩＣカード１ｂを統括的に制御する。制御部５０ｂは、コマンド処理部５１と、プリペイド決済処理部５２と、クレジット決済処理部５３と、切替処理部５４ｂとを備える。
【００９１】
切替処理部５４ｂは、所定の条件を満たし、且つ、利用者の与信審査が通過したことを示す情報を取得した場合に、クレジット決済処理の機能を有効にするとともに、プリペイド決済処理の機能を無効にする。切替処理部５４ｂの基本的な機能は、第１の実施形態の切替処理部５４と同様である。切替処理部５４ｂは、例えば、所定の条件を満たす場合として、プリペイド決済処理による取引回数が、所定の回数に達した場合に、クレジット決済処理の機能を有効にするとともに、プリペイド決済処理の機能を無効にする。また、切替処理部５４ｂは、上述した管理情報記憶部８１の設定情報を変更することで、クレジット決済処理の機能を有効にするとともに、プリペイド決済処理の機能を無効にする。
【００９２】
例えば、切替処理部５４ｂは、プリペイド決済処理の取引が、１０回以上行われた場合に、クレジット決済処理の機能を有効にするとともに、プリペイド決済処理の機能を無効にする。具体的に、切替処理部５４ｂは、取引回数記憶部８６から取引回数を読み出して、当該取引回数が１０回に達しているか否かを判定する。ここでの所定の回数（１０回）は、例えば、利用者の与信審査に要する期間よりも長い期間を確保するために必要と想定（予想）される、プリペイド決済処理の取引回数値である。
【００９３】
次に、図面を参照して本実施形態によるＩＣカード１ｂの動作について説明する。
図１２は、本実施形態のＩＣカード１ｂの動作の一例を示すフローチャートである。この図において、ＩＣカード１ｂのプリペイド決済機能からクレジット決済機能への切り替え処理について説明する。ＩＣカード１ｂは、例えば、利用者が商品を購入するなどの取引が発生した場合に、外部装置２から送信されるコマンド処理により、プリペイド決済の処理が実行される。
【００９４】
図１２において、ステップＳ５０１及びステップＳ５０２の処理は、上述した図５に示すステップＳ１０１及びステップＳ１０２の処理と同様であるため、ここではその説明を省略する。
【００９５】
ステップＳ５０３において、ＩＣカード１ｂの切替処理部５４ｂは、取引回数が所定の回数に達したか否かを判定する。切替処理部５４ｂは、取引回数記憶部８６が記憶する取引回数を読み出し、例えば、取引回数が１０回以上であるか否かを判定する。切替処理部５４ｂは、取引回数が所定の回数（１０回）に達した場合（ステップＳ５０３：ＹＥＳ）に、処理をステップＳ５０４に進める。また、切替処理部５４ｂは、取引回数が所定の回数（１０回）未満である場合（ステップＳ５０３：ＮＯ）に、切替処理を終了する。
【００９６】
続く、ステップＳ５０４からステップＳ５０７までの処理は、上述した図５に示すステップＳ１０４からステップＳ１０７までの処理と同様であるため、ここではその説明を省略する。
なお、本実施形態の上述した例では、ＩＣカード１ｂは、取引回数記憶部８６を備え、切替処理部５４ｂは、取引回数記憶部８６が記憶する取引回数を取得する例を説明したが、これに限定されずに、取引履歴記憶部８２が記憶する取引履歴に基づいて、取引回数を算出するようにしてもよい。
【００９７】
以上説明したように、本実施形態によるＩＣカード１ｂでは、切替処理部５４ｂは、所定の条件を満たす場合として、プリペイド決済処理による取引回数が、所定の回数に達した場合に、クレジット決済処理の機能を有効にするとともに、プリペイド決済処理の機能を無効にする。
これにより、本実施形態によるＩＣカード１ｂは、プリペイド決済処理の機能を使用している間に、クレジットカードに切り替えることができる。よって、本実施形態によるＩＣカード１ｂは、与信審査の処理の期間を有効に利用することが可能になり、利便性を向上させることができる。
【００９８】
（第４の実施形態）
次に、図面を参照して、第４の実施形態によるＩＣカード１ｃについて説明する。
本実施形態では、所定の条件として、プリペイド記憶部８３が記憶するプリペイド残額の代わりに、経過時間を用いる変形例について説明する。
【００９９】
図１３は、本実施形態のＩＣカード１ｃの機能構成例を示すブロック図である。なお、本実施形態のＩＣカード１ｃの外観、及びＩＣカードシステム１５０の構成例と、本実施形態のＩＣカード１ｃのハードウェア構成例とは、図１及び図２に示す第１の実施形態と同様であるためここではその説明を省略する。
【０１００】
図１３に示すように、ＩＣカード１ｃは、通信部４０と、制御部５０ｃと、管理情報記憶部８１と、取引履歴記憶部８２と、プリペイド記憶部８３と、与信情報記憶部８４と、クレジットポイント記憶部８５と、開始時刻記憶部８７とを備える。
ここで、図１３に示されるＩＣカード１ｃの各部は、図２に示されるハードウェアを用いて実現される。また、この図において、図３に示す構成と同一に構成については、同一の符号を付与してその説明を省略する。
【０１０１】
開始時刻記憶部８７は、例えば、ＥＥＰＲＯＭ８により構成された記憶部であり、基準となる基準時刻を示す開始時刻を記憶する。開始時刻記憶部８７は、開始時刻として、例えば、与信審査を開始した時刻を示す情報、又は最初にプリペイド決済による取引が実行された時刻を示す情報を記憶する。なお、開始時刻には、日付情報が含まれてもよい。また、与信審査を開始した開始時刻は、例えば、ＩＣカード１ｃを発行した時刻情報（日付情報を含む）である。開始時刻が最初にプリペイド決済による取引が実行された時刻を示す情報である場合には、開始時刻記憶部８７は、例えば、プリペイド決済処理部５２によって、プリペイド決済処理が最初に実行された取引情報に含まれる取引時刻情報が記憶される。
【０１０２】
制御部５０ｃは、例えば、ＣＰＵ５と、ＲＡＭ７と、ＲＯＭ６又はＥＥＰＲＯＭ８とにより実現され、ＩＣカード１ｃを統括的に制御する。制御部５０ｃは、コマンド処理部５１と、プリペイド決済処理部５２と、クレジット決済処理部５３と、切替処理部５４ｃとを備える。
【０１０３】
切替処理部５４ｃは、所定の条件を満たし、且つ、利用者の与信審査が通過したことを示す情報を取得した場合に、クレジット決済処理の機能を有効にするとともに、プリペイド決済処理の機能を無効にする。切替処理部５４ｃの基本的な機能は、第１の実施形態の切替処理部５４と同様である。切替処理部５４ｃは、例えば、所定の条件を満たす場合として、基準となる基準時刻（開始時刻）から所定の時間以上が経過した場合に、クレジット決済処理の機能を有効にするとともに、プリペイド決済処理の機能を無効にする。また、切替処理部５４ｃは、上述した管理情報記憶部８１の設定情報を変更することで、クレジット決済処理の機能を有効にするとともに、プリペイド決済処理の機能を無効にする。
【０１０４】
例えば、切替処理部５４ｃは、プリペイド決済処理の際の取引時刻が、開始時刻記憶部８７が記憶する開始時刻から所定の時間（例えば、２時間など）以上経過している場合に、クレジット決済処理の機能を有効にするとともに、プリペイド決済処理の機能を無効にする。具体的に、切替処理部５４ｃは、開始時刻記憶部８７から開始時刻を読み出して、現在のプリペイド決済処理の際の取引時刻から読み出した開始時刻を減算した値が、２時間以上であるか否かを判定する。ここでの所定の時間（２時間）は、例えば、利用者の与信審査に要する期間よりも長い期間に相当する時間である。
【０１０５】
次に、図面を参照して本実施形態によるＩＣカード１ｃの動作について説明する。
図１４は、本実施形態のＩＣカード１ｃの動作の一例を示すフローチャートである。この図において、ＩＣカード１ｃのプリペイド決済機能からクレジット決済機能への切り替え処理について説明する。ＩＣカード１ｃは、例えば、利用者が商品を購入するなどの取引が発生した場合に、外部装置２から送信されるコマンド処理により、プリペイド決済の処理が実行される。
【０１０６】
図１４において、ステップＳ６０１及びステップＳ６０２の処理は、上述した図５に示すステップＳ１０１及びステップＳ１０２の処理と同様であるため、ここではその説明を省略する。
【０１０７】
ステップＳ６０３において、ＩＣカード１ｃの切替処理部５４ｃは、開始時刻から所定の時間以上経過したか否かを判定する。切替処理部５４ｃは、開始時刻記憶部８７が記憶する開始時刻を読み出し、例えば、現在の時刻が開始時刻から２時間以上経過しているか否かを判定する。なお、切替処理部５４ｃは、現在の時刻を、今回のプリペイド決済の取引時刻として取得する。切替処理部５４ｃは、開始時刻から所定の時間（２時間）以上経過している場合（ステップＳ６０３：ＹＥＳ）に、処理をステップＳ６０４に進める。また、切替処理部５４ｃは、開始時刻から所定の時間（２時間）以上経過していない場合（ステップＳ６０３：ＮＯ）に、切替処理を終了する。
【０１０８】
続く、ステップＳ６０４からステップＳ６０７までの処理は、上述した図５に示すステップＳ１０４からステップＳ１０７までの処理と同様であるため、ここではその説明を省略する。
【０１０９】
以上説明したように、本実施形態によるＩＣカード１ｃでは、切替処理部５４ｃは、所定の条件を満たす場合として、基準となる基準時刻（開始時刻）から所定の時間以上が経過した場合に、クレジット決済処理の機能を有効にするとともに、プリペイド決済処理の機能を無効にする。
これにより、本実施形態によるＩＣカード１ｃは、プリペイド決済処理の機能を使用している間に、クレジットカードに切り替えることができる。よって、本実施形態によるＩＣカード１ｃは、与信審査の処理の期間を有効に利用することが可能になり、利便性を向上させることができる。
【０１１０】
なお、上述した本実施形態では、現在の時刻に、プリペイド決済の取引時刻を利用する例を説明したが、これに限定されるものではなく、ＩＣカード１ｃが電池及び時計機能を備える場合には、切替処理部５４ｃは、時計機能を利用して現在の時刻を取得してもよい。
【０１１１】
（第５の実施形態）
次に、図面を参照して、第５の実施形態によるＩＣカード１ｄについて説明する。
本実施形態では、プリペイド決済からクレジット決済に切り替える際に、プリペイド残額が負の値である場合に、負の値の分をクレジット決済にて処理する変形例について説明する。
【０１１２】
図１５は、本実施形態のＩＣカード１ｄの機能構成例を示すブロック図である。なお、本実施形態のＩＣカード１ｄの外観、及びＩＣカードシステム１５０の構成例と、本実施形態のＩＣカード１ｄのハードウェア構成例とは、図１及び図２に示す第１の実施形態と同様であるためここではその説明を省略する。
【０１１３】
図１５に示すように、ＩＣカード１ｄは、通信部４０と、制御部５０ｄと、管理情報記憶部８１と、取引履歴記憶部８２と、プリペイド記憶部８３と、与信情報記憶部８４と、クレジットポイント記憶部８５とを備える。
ここで、図１５に示されるＩＣカード１ｄの各部は、図２に示されるハードウェアを用いて実現される。また、この図において、図３に示す構成と同一に構成については、同一の符号を付与してその説明を省略する。
【０１１４】
制御部５０ｄは、例えば、ＣＰＵ５と、ＲＡＭ７と、ＲＯＭ６又はＥＥＰＲＯＭ８とにより実現され、ＩＣカード１ｄを統括的に制御する。制御部５０ｄは、コマンド処理部５１と、プリペイド決済処理部５２と、クレジット決済処理部５３と、切替処理部５４ｄとを備える。
【０１１５】
切替処理部５４ｄは、所定の条件を満たし、且つ、利用者の与信審査が通過したことを示す情報を取得した場合に、クレジット決済処理の機能を有効にするとともに、プリペイド決済処理の機能を無効にする。切替処理部５４ｄの基本的な機能は、第１の実施形態の切替処理部５４と同様である。
切替処理部５４ｄは、例えば、プリペイド残額をクレジットポイントに変換する際に、プリペイド残額が、負の値であった場合に、負の値に対応する金額をクレジット決済処理により決済処理させる。切替処理部５４ｄは、例えば、プリペイド記憶部８３からプリペイド残額を読み出し、当該プリペイド残額が負の値（プリペイド残額＜０）であるか否かを判定する。切替処理部５４ｄは、プリペイド残額が負の値（プリペイド残額＜０）である場合に、クレジット決済処理部５３に負の値に対応する金額をクレジット決済処理させる。
【０１１６】
次に、図面を参照して本実施形態によるＩＣカード１ｄの動作について説明する。
図１６は、本実施形態のＩＣカード１ｄの動作の一例を示すフローチャートである。この図において、ＩＣカード１ｄのプリペイド決済機能からクレジット決済機能への切り替え処理について説明する。ＩＣカード１ｄは、例えば、利用者が商品を購入するなどの取引が発生した場合に、外部装置２から送信されるコマンド処理により、プリペイド決済の処理が実行される。
【０１１７】
図１６において、ステップＳ７０１及びステップＳ７０４の処理は、上述した図５に示すステップＳ１０１及びステップＳ１０４の処理と同様であるため、ここではその説明を省略する。
【０１１８】
ステップＳ７０５において、ＩＣカード１ｄの切替処理部５４ｄは、プリペイド残額が負の値であるか否かを判定する。切替処理部５４ｄは、プリペイド記憶部８３からプリペイド残額を読み出し、当該プリペイド残額が負の値であるか否かを判定する。切替処理部５４ｄは、プリペイド残額が負の値である場合（ステップＳ７０５：ＹＥＳ）に、処理をステップＳ７０６に進める。また、切替処理部５４ｄは、プリペイド残額が負の値でない場合（ステップＳ７０５：ＮＯ）に、処理をステップＳ７０７に進める。
【０１１９】
ステップＳ７０６において、切替処理部５４ｄは、負の値に対応する金額をクレジット決済処理する。すなわち、切替処理部５４ｄは、クレジット決済処理部５３に負の値に対応する金額をクレジット決済処理させる。ステップＳ７０６の処理後に、処理をステップＳ７０９に進める。
【０１２０】
また、ステップＳ７０７からステップＳ７０９までの処理は、上述した図５に示すステップＳ１０５からステップＳ１０７までの処理と同様であるため、ここではその説明を省略する。
【０１２１】
以上説明したように、本実施形態によるＩＣカード１ｄでは、切替処理部５４ｄは、プリペイド残額をクレジットポイントに変換する際に、プリペイド残額が、負の値であった場合に、負の値に対応する金額をクレジット決済処理により決済処理させる。
これにより、本実施形態によるＩＣカード１ｄは、プリペイド決済処理の負債額を、クレジット決済に振り替えることができる。よって、本実施形態によるＩＣカード１ｄは、利便性をさらに向上させることができる。
【０１２２】
なお、上述した本実施形態では、プリペイド残額が負の値である場合に、クレジット決済に振り替える例を説明したが、クレジット決済に切り替わることを前提に、プリペイド残額の最初の入金を行わずに、クレジット決済に切り替わるまでにプリペイド決済で使用した全金額を、クレジット決済に振り替えるようにしてもよい。この場合、切替処理部５４ｄは、プリペイド決済で使用した全金額を、取引履歴記憶部８２が記憶する取引の履歴情報から算出してもよいし、取引の全金額を記憶する取引金額記憶部を設け、取引金額記憶部から取得するようにしてもよい。すなわち、切替処理部５４ｄは、プリペイド残額をクレジットポイントに変換する際に、未使用時に設定されたプリペイド残額の初期値に対応する金額をクレジット決済処理により決済処理させる。
これにより、本実施形態によるＩＣカード１ｄでは、利用者は、プリペイド金額を予め支払う必要がないため、利便性をさらに向上させることができる。
【０１２３】
また、この場合、切替処理部５４ｄは、プリペイド決済で使用した全金額を、取引履歴記憶部８２が記憶する取引の履歴情報から算出してもよいし、取引の全金額を記憶する取引金額記憶部を設け、取引金額記憶部から取得するようにしてもよい。
【０１２４】
（第６の実施形態）
次に、図面を参照して、第６の実施形態によるＩＣカード１ｅについて説明する。
本実施形態では、上述したプリペイド記憶部８３とクレジットポイント記憶部８５とを共通の記憶部（記憶領域）として構成する場合の変形例について説明する。
【０１２５】
図１７は、本実施形態のＩＣカード１ｅの機能構成例を示すブロック図である。なお、本実施形態のＩＣカード１ｅの外観、及びＩＣカードシステム１５０の構成例と、本実施形態のＩＣカード１ｅのハードウェア構成例とは、図１及び図２に示す第１の実施形態と同様であるためここではその説明を省略する。
【０１２６】
図１７に示すように、ＩＣカード１ｅは、通信部４０と、制御部５０ｅと、管理情報記憶部８１と、取引履歴記憶部８２と、価値情報記憶部８３ａと、与信情報記憶部８４とを備える。
ここで、図１７に示されるＩＣカード１ｅの各部は、図２に示されるハードウェアを用いて実現される。また、この図において、図３に示す構成と同一に構成については、同一の符号を付与してその説明を省略する。
【０１２７】
価値情報記憶部８３ａ（第１価値情報記憶部の一例）は、例えば、ＥＥＰＲＯＭ８により構成された記憶部であり、予め入金された金額の残金に対応するプリペイド残額（第１価値情報）を記憶する。また、ＩＣカード１ｅの決済機能が、プリペイド決済からクレジット決済に切り替わった後に、価値情報記憶部８３ａは、クレジットポイント（第２価値情報）を記憶する。
このように、本実施形態では、第１の実施形態のプリペイド記憶部８３とクレジットポイント記憶部８５とが共通の記憶部として構成される。
【０１２８】
制御部５０ｅは、例えば、ＣＰＵ５と、ＲＡＭ７と、ＲＯＭ６又はＥＥＰＲＯＭ８とにより実現され、ＩＣカード１ｅを統括的に制御する。制御部５０ｅは、コマンド処理部５１と、プリペイド決済処理部５２と、クレジット決済処理部５３と、切替処理部５４ｅとを備える。
【０１２９】
切替処理部５４ｅは、所定の条件を満たし、且つ、利用者の与信審査が通過したことを示す情報を取得した場合に、クレジット決済処理の機能を有効にするとともに、プリペイド決済処理の機能を無効にする。切替処理部５４ｅの基本的な機能は、第１の実施形態の切替処理部５４と同様である。
また、切替処理部５４ｅは、プリペイド記憶部８３としての価値情報記憶部８３ａが記憶するプリペイド残額を、クレジットポイントに変換し、当該クレジットポイントをクレジットポイント記憶部８５としての価値情報記憶部８３ａに記憶させる。
【０１３０】
次に、図面を参照して本実施形態によるＩＣカード１ｅの動作について説明する。
図１８は、本実施形態のＩＣカード１ｅの動作の一例を示すフローチャートである。この図において、ＩＣカード１ｅのプリペイド決済機能からクレジット決済機能への切り替え処理について説明する。ＩＣカード１ｅは、例えば、利用者が商品を購入するなどの取引が発生した場合に、外部装置２から送信されるコマンド処理により、プリペイド決済の処理が実行される。
【０１３１】
図１８において、ステップＳ８０１からステップＳ８０４までの処理は、上述した図５に示すステップＳ１０１からステップＳ１０４までの処理と同様であるため、ここではその説明を省略する。
【０１３２】
ステップＳ８０５において、切替処理部５４ｅは、プリペイド残額をクレジットポイントに変換する。切替処理部５４ｅは、価値情報記憶部８３ａが記憶するプリペイド残額を読み出し、当該プリペイド残額をクレジットポイントに変換する。
次に、切替処理部５４ｅは、変換したクレジットポイントを価値情報記憶部８３ａに記憶させる（ステップＳ８０６）。
続く、ステップＳ８０７の処理は、上述した図５に示すステップＳ１０７の処理と同様であるため、ここではその説明を省略する。
【０１３３】
以上説明したように、本実施形態によるＩＣカード１ｅでは、プリペイド記憶部８３とクレジットポイント記憶部８５とが共通の記憶部として構成されている。切替処理部５４ｅは、プリペイド記憶部８３としての価値情報記憶部８３ａが記憶するプリペイド残額を、クレジットポイントに変換し、当該クレジットポイントをクレジットポイント記憶部８５としての価値情報記憶部８３ａに記憶させる。
これにより、本実施形態によるＩＣカード１ｅは、記憶領域を節約しつつ、与信審査の処理の期間を有効に利用することができる。
【０１３４】
（第７の実施形態）
次に、図面を参照して、第７の実施形態によるＩＣカード１ｆについて説明する。
本実施形態では、上述した第1の実施形態に、プリペイド決済からクレジット決済に切り替えを保留する機能と、クレジット決済に切り替え後に、再びプリペイド決済に切り替える、あるいは、プリペイド決済に切り替え後に、再びクレジット決済に切り替える機能とを追加した場合の変形例について説明する。
【０１３５】
図１９は、本実施形態のＩＣカード１ｆの機能構成例を示すブロック図である。なお、本実施形態のＩＣカード１ｆの外観、及びＩＣカードシステム１５０の構成例と、本実施形態のＩＣカード１ｆのハードウェア構成例とは、図１及び図２に示す第１の実施形態と同様であるためここではその説明を省略する。
【０１３６】
図１９に示すように、ＩＣカード１ｆは、通信部４０と、制御部５０ｆと、管理情報記憶部８１と、取引履歴記憶部８２と、プリペイド記憶部８３と、与信情報記憶部８４と、クレジットポイント記憶部８５と、切替情報記憶部８８とを備える。
ここで、図１９に示されるＩＣカード１ｆの各部は、図２に示されるハードウェアを用いて実現される。また、この図において、図３に示す構成と同一に構成については、同一の符号を付与してその説明を省略する。
【０１３７】
切替情報記憶部８８は、例えば、ＲＡＭ７又はＥＥＰＲＯＭ８により構成された記憶部であり、プリペイド決済とクレジット決済との切り換えに関する情報を記憶する。切替情報記憶部８８は、例えば、クレジット切替許可フラグ、現在の機能中の決済の種類を示す決済種別情報、クレジット決済からプリペイド決済への切り替えを指示するプリペイド切替フラグ、及びプリペイド決済からクレジット決済への切り替えを指示するクレジット切替フラグを記憶する。
【０１３８】
制御部５０ｆは、例えば、ＣＰＵ５と、ＲＡＭ７と、ＲＯＭ６又はＥＥＰＲＯＭ８とにより実現され、ＩＣカード１ｆを統括的に制御する。制御部５０ｆは、コマンド処理部５１と、プリペイド決済処理部５２と、クレジット決済処理部５３と、切替処理部５４ｆとを備える。
【０１３９】
切替処理部５４ｆは、上述した所定の条件（第１の条件）を満たし、且つ、利用者の与信審査が通過したことを示す情報を取得した場合で、さらに、クレジット決済処理への切り替えを許可する第２の条件を満たす場合に、クレジット決済処理の機能を有効にする。切替処理部５４ｆは、この場合、クレジット決済処理の機能を有効にするとともに、プリペイド決済処理の機能を無効にする。切替処理部５４ｆの基本的な機能は、第１の実施形態の切替処理部５４と同様である。
【０１４０】
ここで、第２の条件は、例えば、切替情報記憶部８８が記憶するクレジット切替許可フラグが、“１”である場合である。また、クレジット切替許可フラグは、例えば、ＩＣカード１ｆと通信する外部装置２の端末画面で決済処理の際に、利用者が、クレジット決済処理への切り替え（又は、クレジット決済処理への切り替えの許可）を選択した場合に、“１”に変更される。
【０１４１】
なお、クレジット切替許可フラグは、例えば、ＩＣカード１ｆをプリペイド決済の機能を有効にして発行させるための一番最初の発行処理の際に、次回からクレジット決済への切り替えを許可することを選択することで、“１”に変更されてもよい。また、プリペイド残額が所定の値以下（例えば、１０００円以下）になった場合に、自動的に“１”に変更されるようにしてもよい。
【０１４２】
また、切替処理部５４ｆは、クレジット決済処理の機能を有効にした後に、クレジット決済処理の機能からプリペイド決済処理の機能に切り替える第１の切替条件を満たす場合に、ＩＣカード１ｆをクレジット決済処理の機能からプリペイド決済処理の機能に切り替える。切替処理部５４ｆは、第１の切替条件を満たす場合に、クレジットポイント記憶部８５が記憶するクレジットポイントを、プリペイド残額に変換し、当該プリペイド残額をプリペイド記憶部８３に記憶させ、プリペイド決済処理の機能を有効にするとともに、クレジット決済処理の機能を無効にする。
【０１４３】
ここで、第１の切替条件は、例えば、切替情報記憶部８８が記憶するプリペイド切替フラグが、“１”である場合である。また、プリペイド切替フラグは、例えば、ＩＣカード１ｆと通信する外部装置２の端末画面で決済処理の際に、利用者が、クレジット決済処理からプリペイド決済処理への切り替えを選択した場合に、“１”に変更される。
【０１４４】
なお、プリペイド切替フラグは、例えば、クレジットカードの限度額を超過した場合、カード利用のブラックリストに載った、有効期限が切れた、等の何らかの理由によりクレジット決済の機能が停止された場合に、自動的に“１”に変更されるようにしてもよい。
【０１４５】
また、切替処理部５４ｆは、プリペイド決済処理の機能を有効にした後に、プリペイド決済処理の機能からクレジット決済処理の機能に切り替える第２の切替条件を満たす場合に、ＩＣカード１ｆをプリペイド決済処理の機能からクレジット決済処理の機能に切り替える。切替処理部５４ｆは、第２の切替条件を満たす場合に、プリペイド記憶部８３が記憶するプリペイド残額を、クレジットポイントに変換し、当該クレジットポイントをクレジットポイント記憶部８５に記憶させ、クレジット決済処理の機能を有効にするとともに、プリペイド決済処理の機能を無効にする。
【０１４６】
ここで、第２の切替条件は、例えば、切替情報記憶部８８が記憶するクレジット切替フラグが、“１”である場合である。また、クレジット切替フラグは、例えば、ＩＣカード１ｆと通信する外部装置２の端末画面で決済処理の際に、利用者が、プリペイド決済処理からクレジット決済処理への切り替えを選択した場合に、“１”に変更される。
【０１４７】
次に、図面を参照して本実施形態によるＩＣカード１ｆの動作について説明する。
図２０は、本実施形態のＩＣカード１ｆの動作の一例を示すフローチャートである。この図において、ＩＣカード１ｆのプリペイド決済機能からクレジット決済機能への最初の切り替え処理について説明する。ＩＣカード１ｆは、例えば、利用者が商品を購入するなどの取引が発生した場合に、外部装置２から送信されるコマンド処理により、プリペイド決済の処理が実行される。
【０１４８】
図２０において、ステップＳ９０１からステップＳ９０４までの処理は、上述した図５に示すステップＳ１０１からステップＳ１０４までの処理と同様であるため、ここではその説明を省略する。
【０１４９】
ステップＳ９０５において、切替処理部５４ｆは、クレジット切り替えが許可状態であるか否かを判定する。切替処理部５４ｆは、切替情報記憶部８８が記憶するクレジット切替許可フラグが、“１”であるか否かによって、クレジット切り替えが許可状態であるか否かを判定する。なお、クレジット切替許可フラグは、例えば、ＩＣカード１ｆと通信する外部装置２の端末画面で決済処理の際に、利用者によるクレジット決済処理への切り替え許可の選択により“１”に変更される。切替処理部５４ｆは、クレジット切り替えが許可状態である場合（ステップＳ９０５：ＹＥＳ）に処理をステップＳ９０６に進める。また、切替処理部５４ｆは、クレジット切り替えが許可状態でない場合（ステップＳ９０５：ＮＯ）に切替処理を終了し、プリペイド決済の機能を保持する。
【０１５０】
また、ステップＳ９０６からステップＳ９０８までの処理は、上述した図５に示すステップＳ１０５からステップＳ１０７までの処理と同様であるため、ここではその説明を省略する。なお、本実施形態では、切替処理部５４ｆは、切替情報記憶部８８の決済種別情報をクレジット決済を示す情報に変更する。
【０１５１】
また、図２１は、本実施形態のＩＣカード１ｆのカード決済の相互の切り替え動作の一例を示すフローチャートである。図２１に示す切り替え処理は、上述した図２０に示すプリペイド決済機能からクレジット決済機能への最初の切り替え処理が実行された後の処理である。
【０１５２】
図２１に示すように、切替処理部５４ｆは、機能中のカード決済の種類による分岐を実行する（ステップＳ９１１）。切替処理部５４ｆは、切替情報記憶部８８が記憶する決済種別情報を確認して、機能中のカード決済の種類がクレジット決済である場合（ステップＳ９１１：クレジット）に、処理をステップＳ９１２に進める。また、切替処理部５４ｆは、機能中のカード決済の種類がプリペイド決済である場合（ステップＳ９１１：プリペイド）に、処理をステップＳ９１６に進める。
【０１５３】
ステップＳ９１２において、切替処理部５４ｆは、プリペイド決済に切り替えるか否かを判定する。切替処理部５４ｆは、切替情報記憶部８８が記憶するプリペイド切替フラグが、“１”であるか否かによって、プリペイド決済に切り替えるか否かを判定する。なお、プリペイド切替フラグは、例えば、ＩＣカード１ｆと通信する外部装置２の端末画面で決済処理の際に、利用者によるプリペイド決済処理への切り替えが選択されることで“１”に変更される。切替処理部５４ｆは、プリペイド決済に切り替える場合（ステップＳ９１２：ＹＥＳ）に、処理をステップＳ９１３に進める。また、切替処理部５４ｆは、プリペイド決済に切り替えない場合（ステップＳ９１２：ＮＯ）に、切替処理を終了し、クレジット決済の機能を保持する。
【０１５４】
ステップＳ９１３において、切替処理部５４ｆは、クレジットポイントをプリペイド残額に変換する。切替処理部５４ｆは、クレジットポイント記憶部８５が記憶するクレジットポイントを読み出し、当該クレジットポイントをプリペイド残額に変換する。なお、切替処理部５４ｆは、クレジットポイントとプリペイド残額とを１：１（一対一）の変換比率で変換してもよいし、所定の変換比率によって、クレジットポイントをにプリペイド残額変換してもよい。
【０１５５】
次に、切替処理部５４ｆは、変換したプリペイド残額をプリペイド記憶部８３に記憶させる（ステップＳ９１４）。
次に、切替処理部５４ｆは、クレジット決済からプリペイド決済に切り替える（ステップＳ９１５）。切替処理部５４ｆは、管理情報記憶部８１が記憶する設定情報を変更することで、プリペイド決済処理の機能を有効にするとともに、クレジット決済処理の機能を無効にする。すなわち、切替処理部５４ｆは、管理情報記憶部８１が記憶するプリペイド決済に関連するファイルの設定情報を有効にするとともに、クレジット決済に関連するファイルの設定情報を無効にする。また、切替処理部５４ｆは、切替情報記憶部８８の決済種別情報をプリペイド決済を示す情報に変更する。切替処理部５４ｆは、ステップＳ９１５の処理後に、切替処理を終了する。
【０１５６】
また、ステップＳ９１６において、切替処理部５４ｆは、クレジット決済に切り替えるか否かを判定する。切替処理部５４ｆは、切替情報記憶部８８が記憶するクレジット切替フラグが、“１”であるか否かによって、クレジット決済に切り替えるか否かを判定する。なお、クレジット切替フラグは、例えば、ＩＣカード１ｆと通信する外部装置２の端末画面で決済処理の際に、利用者によるクレジット決済処理への切り替えが選択されることで“１”に変更される。切替処理部５４ｆは、クレジット決済に切り替える場合（ステップＳ９１６：ＹＥＳ）に、処理をステップＳ９１７に進める。また、切替処理部５４ｆは、クレジット決済に切り替えない場合（ステップＳ９１６：ＮＯ）に、切替処理を終了し、プリペイド決済の機能を保持する。
【０１５７】
ステップＳ９１７において、切替処理部５４ｆは、プリペイド残額をクレジットポイントに変換する。切替処理部５４ｆは、プリペイド記憶部８３が記憶するプリペイド残額を読み出し、当該プリペイド残額をプリペイド残額に変換する。
【０１５８】
次に、切替処理部５４ｆは、変換したクレジットポイントをクレジットポイント記憶部８５に記憶させる（ステップＳ９１８）。
次に、切替処理部５４ｆは、プリペイド決済からクレジット決済に切り替える（ステップＳ９１９）。切替処理部５４ｆは、管理情報記憶部８１が記憶する設定情報を変更することで、クレジット決済処理の機能を有効にするとともに、プリペイド決済処理の機能を無効にする。すなわち、切替処理部５４ｆは、管理情報記憶部８１が記憶するクレジット決済に関連するファイルの設定情報を有効にするとともに、プリペイド決済に関連するファイルの設定情報を無効にする。また、切替処理部５４ｆは、切替情報記憶部８８の決済種別情報をクレジット決済を示す情報に変更する。切替処理部５４ｆは、ステップＳ９１９の処理後に、切替処理を終了する。
【０１５９】
以上説明したように、本実施形態によるＩＣカード１ｆでは、切替処理部５４ｆは、取引に関する情報に基づく所定の条件である第１の条件を満たし、且つ、クレジット決済処理への切り替えを許可する第２の条件を満たす場合に、クレジット決済処理の機能を有効にする。すなわち、切替処理部５４ｆは、第１の条件を満たし、且つ、第２の条件を満たす場合に、プリペイド記憶部８３が記憶するプリペイド残額を、クレジットポイントに変換し、当該クレジットポイントをクレジットポイント記憶部８５に記憶させ、クレジット決済処理の機能を有効にするとともに、プリペイド決済処理の機能を無効にする。
【０１６０】
これにより、本実施形態によるＩＣカード１ｆでは、上述したクレジット決済の機能を有効にする所定の条件（第１の条件）を満たした場合であっても、例えば、利用者の要望により、プリペイド決済の機能を保持してクレジット決済への移行を保留することができる。よって、本実施形態によるＩＣカード１ｆは、利用者の多様な要望に対応することが可能であり、利便性を向上させることができる。
【０１６１】
また、本実施形態では、切替処理部５４ｆは、クレジット決済処理の機能を有効にした後に、クレジット決済処理の機能からプリペイド決済処理の機能に切り替える第１の切替条件を満たす場合に、クレジット決済処理の機能からプリペイド決済処理の機能に切り替える。切替処理部５４ｆは、第１の切替条件を満たす場合に、クレジットポイント記憶部８５が記憶するクレジットポイントを、プリペイド残額に変換し、当該プリペイド残額をプリペイド記憶部８３に記憶させ、プリペイド決済処理の機能を有効にするとともに、クレジット決済処理の機能を無効にする。
【０１６２】
これにより、本実施形態によるＩＣカード１ｆは、例えば、利用者の要望や、クレジット決済が利用できなくなった場合に、クレジット決済処理の機能からプリペイド決済処理の機能に切り替えることができ、利便性を向上させることができる。本実施形態によるＩＣカード１ｆは、条件と用途のバリエーションを増加させることができ、利用者の要望にあった用途（決済方法）を選択することができる。
【０１６３】
また、本実施形態では、切替処理部５４ｆは、プリペイド決済処理の機能を有効にした後に、プリペイド決済処理の機能からクレジット決済処理の機能に切り替える第２の切替条件を満たす場合に、プリペイド決済処理の機能からクレジット決済処理の機能に切り替える。切替処理部５４ｆは、第２の切替条件を満たす場合に、プリペイド記憶部８３が記憶するプリペイド残額を、クレジットポイントに変換し、当該クレジットポイントをクレジットポイント記憶部８５に記憶させ、クレジット決済処理の機能を有効にするとともに、プリペイド決済処理の機能を無効にする。
【０１６４】
これにより、本実施形態によるＩＣカード１ｆは、例えば、利用者の要望により、プリペイド決済処理の機能からクレジット決済処理の機能に切り替えることができ、利便性を向上させることができる。本実施形態によるＩＣカード１ｆは、条件と用途のバリエーションを増加させることができ、利用者の要望にあった用途（決済方法）を選択することができる。
【０１６５】
なお、上述した第７の実施形態では、第１の実施形態に、プリペイド決済からクレジット決済に切り替えを保留する機能と、クレジット決済に切り替え後に、再びプリペイド決済に切り替える、あるいは、プリペイド決済に切り替え後に、再びクレジット決済に切り替える機能とを追加する例を説明したがこれに限定されるものではない。例えば、本実施形態は、第１の実施形態の代わりに、第２から第６の実施形態にいづれかの実施形態に適用してもよい。また、第７の実施形態は、プリペイド決済からクレジット決済に切り替えを保留する機能と、クレジット決済に切り替え後に、再びプリペイド決済に切り替える、あるいは、プリペイド決済に切り替え後に、再びクレジット決済に切り替える機能とのいずれかの機能を追加するようにしてもよい。
【０１６６】
また、上述した第７の実施形態では、ＩＣカード１ｆが、最初にプリペイド決済の機能が有効であり、クレジット決済への切り替えを保留する例を説明したが、最初にクレジット決済の機能が有効であり、プリペイド決済への切り替えを保留するようにしてもよい。また、上述した第７の実施形態は、以下のような変形例が適用可能である。
【０１６７】
（１）ＩＣカード１ｆは、例えば、一番最初に行うプリペイド決済のとき（ユーザ情報を入力する発行手続きを行うとき）にどのように切り替えるかを登録しておき、その条件に合致したら、プリペイド決済又はクレジット決済に切り替えるようにしてもよい。
（２）ＩＣカード１ｆは、例えば、一番最初は、プリペイド決済で決済し、その後、利用者の意思で（外部装置２などで）プリペイド決済又はクレジット決済を選択するようにしてもよい。
【０１６８】
（３）ＩＣカード１ｆは、例えば、一番最初は、プリペイド決済で決済し、その後クレジット決済を選択し、その後に、再度、プリペイド決済に切り替えるようにしてもよい。ＩＣカード１ｆは、この場合、ＩＣカード１ｆは、貯まっていたクレジットポイントを金銭に切り替えてもよいし、将来のためにクレジットポイントして保持してもよい。また、ＩＣカード１ｆは、クレジット決済からプリペイド決済に切り替える際に、一定金額の入金を条件にしてもよい。
【０１６９】
（４）ＩＣカード１ｆは、例えば、一番最初は、プリペイド決済で決済し、その後もプリペイド決済を選択し、必要なタイミングでクレジット決済に切り替えるようにしてもよい。ここで、必要なタイミングとは、例えば、利用者の意思で（外部装置２などで）切り替えてもよいし、プリペイドの残額で切り替えてもよい。
本実施形態のよるＩＣカード１ｆは、通常は、使い過ぎ防止のためにプリペイド決済を有効にしていても、例えば、プリペイドの残高を超える買い物がどうしても必要になった場合に、容易にクレジット決済に切り替えることが可能である。
【０１７０】
また、上記の各実施形態において、ＩＣカード１（１ａ〜１ｆ）は、コンタクト部３を介して外部装置２と通信する例を説明したが、コイルなどを用いたコンタクトレスインターフェースを介して外部装置２と通信するように構成してもよい。
【０１７１】
また、上記の各実施形態において、ＩＣカード１（１ａ〜１ｆ）は、書き換え可能な不揮発性メモリとして、ＥＥＰＲＯＭ８を備える構成としたが、これに限定されるものではない。例えば、ＩＣカード１（１ａ〜１ｆ）は、ＥＥＰＲＯＭ８の代わりに、フラッシュメモリ、ＦｅＲＡＭ（Ferroelectric Random Access Memory：強誘電体メモリ）などを備えてもよい。
【０１７２】
また、上記の各実施形態において、携帯可能電子装置の一例として、ＩＣカード１（１ａ〜１ｆ）を用いる例を説明したが、これに限定されるものではない。携帯可能電子装置は、例えば、カード形状ではないＩＣタグやＳＩＭ（Subscriber Identity Module）カードなどの電子装置であってもよい。
また、上記の各実施形態において、信用取引決済及び信用取引カードの一例として、クレジット決済及びクレジットカードについて説明したが、これに限定されるものではない。信用取引カードには、例えば、後払い決済のクレジットカード、及び口座同時引き落とし決済のデビットカードなどが含まれ、上記の各実施形態に、デビットカードなどの他の信用取引カードを適用してもよい。また、デビットカードは、例えば、口座残額の不足分を立て替える立て替え機能を有していてもよい。
【０１７３】
また、上記の各実施形態のそれぞれを独立して実施する例を説明したが、これに限定されるものではなく、各実施形態の一部又は全部を組み合せて実施するようにしてもよい。例えば、上記の第２の実施形態は、第１の実施形態の変形例として説明したが、第１の実施形態の代わりに、第３から第６の実施形態に適用してもよい。
【０１７４】
また、上記の各実施形態において、ＩＣカード１（１ａ〜１ｆ）は、取引に関する情報に基づく所定の条件を満たす場合に、プリペイド決済からクレジット決済に切り替える例を説明したが、クレジット決済からプリペイド決済に戻す処理が実行できてもよい。ＩＣカード１（１ａ〜１ｆ）は、例えば、クレジットの限度額を超えた場合などの所定の条件を満たす場合に、クレジット決済からプリペイド決済に切り替えるようにしてもよい。このようにすることで、ＩＣカード１（１ａ〜１ｆ）は、クレジットカードとして使用できない期間をプリペイドカードとして利用することができ、さらに利便性を向上させることができる。
【０１７５】
以上説明した少なくともひとつの実施形態によれば、取引に関する情報に基づく所定の条件を満たす場合に、プリペイド記憶部８３が記憶するプリペイド残額を、クレジットポイントに変換し、当該クレジットポイントをクレジットポイント記憶部８５に記憶させ、クレジット決済処理の機能を有効にするとともに、プリペイド決済処理の機能を無効にする切替処理部５４を持つことにより、与信審査の処理の期間を有効に利用することが可能になり、利便性を向上させることができる。
【０１７６】
上記実施形態は、以下のように表現することができる。
予め入金された金額の残金に対応する第１価値情報を記憶する第１価値情報記憶部と、
信用取引決済で利用可能な第２価値情報を記憶する第２価値情報記憶部と、
少なくともコンピュータが実行可能なプログラムに関する情報を記憶する記憶部と、
前記記憶部に記憶されたプログラムを実行するハードウェアプロセッサと、を備え、
前記ハードウェアプロセッサは、前記プログラムを実行することにより、
取引の金額に応じて、前記第１価値情報記憶部が記憶する前記第１価値情報を減算して決済を行う先払い決済処理を行い、
前記取引に関する情報に基づく所定の条件を満たす場合に、前記第１価値情報記憶部が記憶する前記第１価値情報を、前記第２価値情報に変換し、当該第２価値情報を前記第２価値情報記憶部に記憶させ、信用取引決済処理の機能を有効にするとともに、前記先払い決済処理の機能を無効にする
ように構成されている、携帯可能電子装置。
【０１７７】
なお、実施形態におけるＩＣカードシステム１５０が備える各構成の機能を実現するためのプログラムをコンピュータ読み取り可能な記録媒体に記録して、この記録媒体に記録されたプログラムをコンピュータシステムに読み込ませ、実行することにより上述したＩＣカードシステム１５０が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１７９】
１，１ａ，１ｂ，１ｃ，１ｄ，１e，１ｆ…ＩＣカード、２…外部装置、３…コンタクト部、４…ＵＡＲＴ、５…ＣＰＵ、６…ＲＯＭ、７…ＲＡＭ、８…ＥＥＰＲＯＭ、９…上位サーバ、１０‥ＩＣモジュール、４０…通信部、５０，５０ａ，５０ｂ，５０ｃ，５０ｄ，５０ｅ，５０ｆ…制御部、５１…コマンド処理部、５２…プリペイド決済処理部、５３…クレジット決済処理部、５４，５４ａ，５４ｂ，５４ｃ，５４ｄ，５４ｅ，５４ｆ…切替処理部、８１…管理情報記憶部、８２…取引履歴記憶部、８３…プリペイド記憶部、８３ａ…価値情報記憶部、８４…与信情報記憶部、８５…クレジットポイント記憶部、８６…取引回数記憶部、８７…開始時刻記憶部、８８…切替情報記憶部、１００…ＩＣチップ、１５０…ＩＣカードシステム、ＢＳ１…内部バス、ＮＷ１…ネットワーク、ＰＴ…カード基材
【図１】
2020009427.tif 000003
【図２】
2020009427.tif 000004
【図３】
2020009427.tif 000005
【図４】
2020009427.tif 000006
【図５】
2020009427.tif 000007
【図６】
2020009427.tif 000008
【図７】
2020009427.tif 000009
【図８】
2020009427.tif 000010
【図９】
2020009427.tif 000011
【図１０】
2020009427.tif 000012
【図１１】
2020009427.tif 000013
【図１２】
2020009427.tif 000014
【図１３】
2020009427.tif 000015
【図１４】
2020009427.tif 000016
【図１５】
2020009427.tif 000017
【図１６】
2020009427.tif 000018
【図１７】
2020009427.tif 000019
【図１８】
2020009427.tif 000020
【図１９】
2020009427.tif 000021
【図２０】
2020009427.tif 000022
【図２１】
2020009427.tif 000023